(57)【要約】      （修正有）【課題】鋸板体の不測の飛び出し旋回を防ぎ、安全性を高めることができ、鋸柄体を手で握っても手に食い込むことが無く、使用の快適性を高めることができる折畳式鋸を提供する。【解決手段】鋸柄体１及び複数枚の鋸板体２からなり、鋸柄体に複数枚の鋸板体を枢軸３により選択的に折畳旋回自在に設け、鋸柄体に複数枚の鋸板体を収納可能な鋸収納部４を設け、複数枚の鋸板体を使用位置Ｓ及び収納位置Ｆに係止固定可能な係止機構５を設けてなる。【選択図】図３
0003185881.tif 000002
【実用新案登録請求の範囲】
【請求項１】
鋸柄体及び複数枚の鋸板体からなり、上記鋸柄体に上記複数枚の鋸板体を枢軸により選択的に折畳旋回自在に設け、該鋸柄体に上記複数枚の鋸板体を収納可能な鋸収納部を設け、該複数枚の鋸板体を使用位置及び収納位置に係止固定可能な係止機構を設けてなることを特徴とする折畳式鋸。
【請求項２】
上記係止機構として、上記鋸柄体に係止片体を支点ピンにより揺動自在に設け、該係止片体に係止ピンを横設し、上記鋸板体に上記使用位置及び上記収納位置において該係止片体に係止可能な係止溝部をそれぞれ形成し、該係止片体を揺動させて該係止ピンを係止溝部に係止させるバネ部材を設けてなることを特徴とする請求項１記載の折畳式鋸。
【請求項３】
上記係止溝部は上記使用位置の数に応じて複数個形成されていることを特徴とする請求項２記載の折畳式鋸。
【考案の詳細な説明】
【技術分野】
【０００１】
本考案は、例えば用途の異なる鋸刃体を選択的に使用可能な折畳式鋸に関するものである。
【背景技術】
【０００２】
従来、この種の折畳式鋸として、鋸柄体に鋸板体を枢軸により折畳旋回自在に設け、鋸板体を使用位置及び収納位置に係止固定可能な係止機構を設けてなる構造のものが知られている。
【先行技術文献】
【特許文献】
【０００３】
【特許文献１】特開２００８−２０７２８９
【考案の概要】
【考案が解決しようとする課題】
【０００４】
しかしながら上記従来構造の場合、上記鋸板体は一枚であるから、例えば、石膏ボードの鋸作業や材木の鋸作業等の用途毎に異種の鋸を複数用意する必要があると共に用途毎に鋸を持ち替えて作業することになり、それだけ、作業能率が低下することがあるというという不都合を有している。
【課題を解決するための手段】
【０００５】
本考案はこれらの不都合を解決することを目的とするもので、本考案のうちで、請求項１記載の考案は、鋸柄体及び複数枚の鋸板体からなり、上記鋸柄体に上記複数枚の鋸板体を枢軸により選択的に折畳旋回自在に設け、該鋸柄体に上記複数枚の鋸板体を収納可能な鋸収納部を設け、該複数枚の鋸板体を使用位置及び収納位置に係止固定可能な係止機構を設けてなることを特徴とする折畳式鋸にある。
【０００６】
又、請求項２記載の考案は、上記係止機構として、上記鋸柄体に係止片体を支点ピンにより揺動自在に設け、該係止片体に係止ピンを横設し、上記鋸板体に上記使用位置及び上記収納位置において該係止片体に係止可能な係止溝部をそれぞれ形成し、該係止片体を揺動させて該係止ピンを係止溝部に係止させるバネ部材を設けてなるものであり、又、請求項３記載の考案は、上記係止溝部は上記使用位置の数に応じて複数個形成されていることを特徴とするものである。
【考案の効果】
【０００７】
本考案は上述の如く、請求項１記載の考案にあっては、複数枚の鋸板体は鋸柄体の鋸収納部に収納され、鋸収納部内の一枚の鋸板体を枢軸を中心に旋回させて鋸板体を使用位置に突設し、この使用位置において、鋸作業を行うことになり、作業後において、鋸板体を枢軸を中心に旋回させて鋸柄体の鋸収納部に収納することができ、かつ、鋸の用途に応じ、別の一枚の鋸板体を枢軸を中心に旋回させて別の鋸板体を使用位置に突設し、この使用位置において、別の鋸作業を行うことになり、この際、上記係止機構により複数枚の鋸板体を使用位置及び収納位置に係止固定することができ、使用位置における鋸板体の係止固定により鋸板体の不測の折り畳み旋回を防ぐことができ、収納位置における鋸板体の係止固定により鋸板体の不測の飛び出し旋回を防ぐことができ、使用の安全性を高めることができ、複数枚の鋸板体は鋸収納部内に収納され、鋸柄体を手で握っても鋸板体が手に食い込むことが無く、使用の快適性を高めることができる。
【０００８】
又、請求項２記載の考案にあっては、上記係止機構として、上記鋸柄体に係止片体を支点ピンにより揺動自在に設け、係止片体に係止ピンを横設し、鋸板体に上記使用位置及び上記収納位置において、係止片体に係止可能な係止溝部をそれぞれ形成し、係止片体を揺動させて係止ピンを係止溝部に係止させるバネ部材を設けているから、係止機構の構造を簡素化することができ、係止片体を支点ピンを中心としてバネ部材に抗して揺動させることにより係止ピンは係止溝部から離脱し、鋸板体の旋回が可能となり、係止片体を支点ピンを中心としてバネ部材により揺動させることにより係止ピンは係止溝部に係止し、使用位置及び収納位置において、鋸板体を容易に係止固定することができ、又、請求項３記載の考案にあっては、上記係止溝部は上記使用位置の数に応じた数の係止溝部が形成されているので、複数の使用位置において、鋸板体を容易に係止固定することができ、使用の利便性を高めことができる。
【図面の簡単な説明】
【０００９】
【図１】本考案の実施の第一形態例の全体側面図である。
【図２】本考案の実施の第一形態例の全体断面図である。
【図３】本考案の実施の第一形態例の使用状態の断面図である。
【図４】本考案の実施の第一形態例の側断面図である。
【図５】本考案の実施の第一形態例の分離斜視図である。
【図６】本考案の実施の第一形態例の使用状態の側面図である。
【図７】本考案の実施の第一形態例の部分拡大断面図である。
【図８】本考案の実施の第一形態例の部分拡大断面図である。
【図９】本考案の実施の第一形態例の使用状態の断面図である。
【図１０】本考案の実施の第二形態例の使用状態の断面図である。
【考案を実施するための形態】
【００１０】
図１乃至図１０は本考案の実施の形態例を示し、図１乃至図９は第一形態例、図１０は第二形態例を示している。
【００１１】
図１乃至図９の第一形態例において、１は鋸柄体、２・２は鋸板体であって、図１、図２の如く、鋸柄体１は合成樹脂又は木材より製作され、この鋸柄体１に金属製の複数個の鋸板体２・・、この場合、石膏ボード用及び木材用の二個の鋸板体２・２を枢軸３により選択的に折畳旋回自在に設け、鋸板体２は鋸身体２ａ及び鋸刃部２ｂからなり、鋸身体２ａに指の滑り止め作用をなす指掛穴部２ｃを形成し、鋸柄体１に複数枚の鋸板体２・２を収納可能な鋸収納部４を設け、鋸柄体１に吊下用穴部１ｄを形成して構成している。
【００１２】
この場合、図２、図４、図５の如く、鋸柄体１は金属製の取付部材１ａ及び合成樹脂製の握柄部１ｂからなり、取付部材１ａに軸穴１ｃを形成し、軸穴１ｃに枢軸３としてのボルト３ａを挿通し、二枚の鋸板体２・２間にスペーサ３ｂを介装し、ボルト３ａを鋸板体２・２の挿通穴２ｄ・２ｄに挿通し、ボルト３ａに座金３ｃを挿通してナット３ｄを螺着し、二枚の鋸板体２・２を枢軸３により選択的に折畳旋回自在に設けて構成している。
【００１３】
５は係止機構であって、上記二枚の鋸板体２・２を使用位置Ｓ及び収納位置Ｆに係止固定可能に設けられ、この場合、上記鋸柄体１の取付部材１ａに金属製の係止片体５ａを支点ピン５ｂにより揺動自在に設け、係止片体５ａに合成樹脂製のカバー５ｃを被着し、係止片体５ａに係止ピン５ｄを横設し、鋸板体２・２に上記使用位置Ｓ及び上記収納位置Ｆにおいて、係止片体５ａに係止可能な係止溝部６をそれぞれ形成し、この場合、上記係止溝部６は、使用位置Ｓにおいて係止固定するための係止溝部６ａ及び収納位置Ｆにおいて係止固定するための係止溝部６ｂが形成され、係止片体５ａを揺動させて係止ピン５ｄを係止溝部６に係止させるバネ部材５ｅを設けて構成している。
【００１４】
この場合、鋸の使用位置Ｓを略水平位置及び稍上向き位置の二位置に係止固定するため、この二つの使用位置Ｓの数に応じて、二個の係止溝部６ａ・６ａを形成している。
【００１５】
しかして、図７、図８の如く、係止片体５ａを支点ピン５ｂを中心としてバネ部材５ｅに抗して揺動させることにより係止ピン５ｄは係止溝部６から離脱し、鋸板体２の旋回が可能となり、逆に、係止片体５ａを支点ピン５ｂを中心としてバネ部材５ｅにより揺動させることにより係止ピン５ｄは係止溝部６に係止し、使用位置Ｓ及び収納位置Ｆにおいて、鋸板体２を容易に係止固定することができる。
【００１６】
この実施の形態例は上記構成であるから、図１、図２の如く、複数枚、この場合、二枚の鋸板体２・２は鋸柄体１の鋸収納部４に収納され、図３、図６の如く、鋸収納部４内の一枚の鋸板体２を枢軸３を中心に旋回させて鋸板体２を使用位置Ｓに突設し、この使用位置Ｓにおいて、鋸作業を行うことになり、作業後において、鋸板体２を枢軸３を中心に旋回させて鋸柄体１の鋸収納部４に収納することができ、かつ、図９の如く、鋸の用途に応じ、別の一枚の鋸板体２を枢軸３を中心に旋回させて別の鋸板体２を使用位置Ｓに突設し、この使用位置Ｓにおいて、別の鋸作業を行うことになり、この際、図３、図７の如く、上記係止機構５により複数枚の鋸板体２・２を使用位置Ｓ及び収納位置Ｆに係止固定することができ、作業位置Ｓにおける鋸板体２の係止固定により鋸板体２の不測の折り畳み旋回を防ぐことができ、収納位置Ｆにおける鋸板体２の係止固定により鋸板体２の不測の飛び出し旋回を防ぐことができ、使用の安全性を高めることができ、複数枚の鋸板体２・２は鋸収納部４内に収納され、鋸柄体１を手で握っても鋸板体２が手に食い込むことが無く、使用の快適性を高めることができる。
【００１７】
この場合、上記係止機構５として、図７、図８の如く、上記鋸柄体１に係止片体５ａを支点ピン５ｂにより揺動自在に設け、係止片体５ａに係止ピン５ｄを横設し、鋸板体２に上記使用位置Ｓ及び上記収納位置Ｆにおいて、係止片体５ａに係止可能な係止溝部６をそれぞれ形成し、係止片体５ａを揺動させて係止ピン５ｄを係止溝部６に係止させるバネ部材５ｅを設けているから、係止機構５の構造を簡素化することができ、係止片体５ａを支点ピン５ｂを中心としてバネ部材５ｅに抗して揺動させることにより係止ピン５ｄは係止溝部６から離脱し、鋸板体２の旋回が可能となり、係止片体５ａを支点ピン５ｂを中心としてバネ部材５ｅにより揺動させることにより係止ピン５ｄは係止溝部６に係止し、使用位置Ｓ及び収納位置Ｆにおいて、鋸板体２を容易に係止固定することができ、又、この場合、図３の如く、上記係止溝部６は上記使用位置Ｓの数としての二位置に応じて二個の係止溝部６ａ・６ａが形成されているので、二位置の使用位置Ｓにおいて、鋸板体２を容易に係止固定することができ、使用の利便性を高めことができる。
【００１８】
図１０の第二形態例は別例構造を示し、この場合、上記二枚の鋸板体２の内の一枚の鋸板体２をナイフ刃体７に替えた構造となっている。
【００１９】
この第二形態例にあっても上記第一形態例と同様な作用効果を得ることができる。
【００２０】
尚、本考案は上記実施の形態例に限られるものではなく、鋸柄体１、鋸板体２、係止機構５の構造や、数、形態等は適宜設計して変更される。
【００２１】
以上、所期の目的を充分達成することができる。
【符号の説明】
【００２２】
Ｓ    使用位置
Ｆ    収納位置
１    鋸柄体
２    鋸板体
３    枢軸
４    鋸収納部
５    係止機構
５ａ    係止片体
５ｂ    支点ピン
５ｄ    係止ピン
５ｅ    バネ部材
６    係止溝部
６ａ    係止溝部
６ｂ    係止溝部
【図１】
0003185881.tif 000003
【図２】
0003185881.tif 000004
【図３】
0003185881.tif 000005
【図４】
0003185881.tif 000006
【図５】
0003185881.tif 000007
【図６】
0003185881.tif 000008
【図７】
0003185881.tif 000009
【図８】
0003185881.tif 000010
【図９】
0003185881.tif 000011
【図１０】
0003185881.tif 000012